(57)【要約】  グルカミドの混合物を含む組成物、その調製方法、およびその使用。ａ）特定のＮ−炭化水素−Ｎ−アシルグルカミドブレンド２０〜８４重量％、ｂ）水１５〜５０重量％、およびｃ）１種または複数の、他の添加剤１〜３０重量％を含む組成物が開示されている。組成物は、温度２０℃で、ゲル形態で、またはペースト形態で、さらに、例えばモノドース製品の形態で存在することができる。組成物は、洗浄、芳香、コンディショニング、または消毒の目的で、好ましくはホームケア用途またはパーソナルケア用途で好適である。【特許請求の範囲】
【請求項１】
少なくとも４５℃の温度で溶融する組成物であって、次の成分、すなわち
ａ）２０〜８４重量％の、式（Ｉ）のＮ−炭化水素置換−Ｎ−アシルグルカミドのブレンド、
【化１】
2020500977.tif 000004
（式中、
Ｒ１は、７〜２１個の、好ましくは７〜１７個の炭素原子を含む、直鎖状もしくは分枝鎖状の、好ましくは直鎖状の、アルキル基、または７〜２１個の、好ましくは７〜１７個の炭素原子を含む、直鎖状もしくは分枝鎖状の、好ましくは直鎖状の、単不飽和もしくは多不飽和のアルケニル基であり、
Ｒ２は、直鎖状もしくは分枝鎖状の、アルキル基またはアリール基であり、好ましくは１〜６個の炭素原子を含む直鎖状アルキル基、またはフェニル基であり、より好ましくはメチル基、エチル基、プロピル基、またはブチル基であり、最も好ましくはメチル基である）
但し、前記Ｎ−炭化水素置換−Ｎ−アシルグルカミドのブレンドは、
（ａ１）Ｒ１が、７〜９個の炭素原子を含む、直鎖状もしくは分枝鎖状の、好ましくは直鎖状の、アルキル基、または７〜９個の炭素原子を含む、直鎖状もしくは分枝鎖状の、好ましくは直鎖状の、単不飽和もしくは多不飽和のアルケニル基である、式（Ｉ）の１種または複数のＮ−炭化水素−Ｎ−アシルグルカミド３〜３５重量％、
（ａ２）Ｒ１が、１１〜１３個の炭素原子を含む、直鎖状もしくは分枝鎖状の、好ましくは直鎖状の、アルキル基、または１１〜１３個の炭素原子を含む、直鎖状もしくは分枝鎖状の、好ましくは直鎖状の、単不飽和もしくは多不飽和のアルケニル基である、式（Ｉ）の１種または複数のＮ−炭化水素−Ｎ−アシルグルカミド１５〜７５重量％、好ましくは１７〜４７重量％、
（ａ３）成分（ａ２）および成分（ａ４）である前記Ｎ−炭化水素−Ｎ−アシルグルカミドとは異なる、Ｒ１が、１１〜１７個の炭素原子を含む、直鎖状もしくは分枝鎖状の、好ましくは直鎖状の、単不飽和もしくは多不飽和のアルケニル基である、最も好ましくはオレイル基である、式（Ｉ）の１種または複数のＮ−炭化水素−Ｎ−アシルグルカミド２〜５５重量％、ならびに
（ａ４）成分（ａ１）、成分（ａ２）、および成分（ａ３）である前記Ｎ−炭化水素−Ｎ−アシルグルカミドとは異なる、式（Ｉ）の１種または複数の追加のＮ−炭化水素−Ｎ−アシルグルカミド２〜１２重量％
を含む；
ｂ）１５〜５０重量％の水；ならびに
ｃ）１〜３０重量％の１種または複数の添加剤；
を含み、
成分ａ）および成分ｃ）の総量が少なくとも５０重量％であり、パーセントが前記組成物の総重量に対する、前記組成物。
【請求項２】
成分ａ）および成分ｃ）の総量が、それぞれ前記組成物の総重量に基づいて、少なくとも５５重量％、より好ましくは少なくとも７０重量％であることを特徴とする、請求項１に記載の組成物。
【請求項３】
成分ｃ）である前記１種または複数の添加剤が、防腐剤、抗菌成分、酵素、移染防止剤、防汚ポリマー、カチオン性界面活性剤、アニオン性界面活性剤、非イオン性界面活性剤、両性界面活性剤、ビルダー、腐食防止剤、プロピレングリコール、グリセロール、染料、顔料、および香料からなる群から選択されることを特徴とする、請求項１または２に記載の組成物。
【請求項４】
成分ｃ）である前記１種または複数の添加剤が、プロピレングリコールおよびグリセロールからなる群から選択されることを特徴とする、請求項３に記載の組成物。
【請求項５】
成分（ａ１）は、Ｒ１が、７〜９個の炭素原子を含む、直鎖状もしくは分枝鎖状の、好ましくは直鎖状の、アルキル基である、式（Ｉ）の１種または複数のＮ−炭化水素−Ｎ−アシルグルカミドからなる群から選択され、成分（ａ２）は、Ｒ１が、１１〜１３個の炭素原子を含む、直鎖状もしくは分枝鎖状の、好ましくは直鎖状の、アルキル基である、式（Ｉ）の１種または複数のＮ−炭化水素−Ｎ−アシルグルカミドからなる群から選択され、（ａ３）は、Ｒ１が、１１〜１７個の炭素原子を含む、直鎖状の、単不飽和もしくは多不飽和のアルケニル基である、１種または複数のＮ−ヒドロカルビル−Ｎ−アシルグルカミドからなる群から選択され、（ａ４）は、成分（ａ１）、成分（ａ２）、および成分（ａ３）である前記Ｎ−炭化水素−Ｎ−アシルグルカミドとは異なる、Ｒ１が、７〜２１個の、好ましくは７〜１７個の炭素原子を含む、直鎖状もしくは分枝鎖状の、好ましくは直鎖状の、アルキル基である、式（Ｉ）の１種または複数の追加のＮ−炭化水素−Ｎ−アシルグルカミドからなる群から選択されることを特徴とする、請求項１〜４のいずれか一つに記載の組成物。
【請求項６】
温度２０℃で、固体であることを特徴とする、請求項１〜５のいずれか一つに記載の組成物。
【請求項７】
温度２０℃で、ゲル形態で、またはペースト形態で、好ましくはゲル形態で存在することを特徴とする、請求項１〜６のいずれか一つに記載の組成物。
【請求項８】
温度２０℃およびせん断応力１０００Ｐａで測定された粘度が、４０〜９・１０９Ｐａ・ｓ、好ましくは１０００〜１．６・１０８であることを特徴とする、請求項１〜７のいずれか一つに記載の組成物。
【請求項９】
モノドース製品の形態で、好ましくはモノドース製品の形態で、および温度２０℃で、ゲル形態で存在することを特徴とする、請求項１〜８のいずれか一つに記載の組成物。
【請求項１０】
垂直面に、好ましくはセラミックス、プラスチック、またはステンレス鋼でつくられた垂直面に、接着することを特徴とする、請求項１〜９のいずれか一つに記載の組成物。
【請求項１１】
水ですすぐ、または洗い流したとき、泡を生じることを特徴とする、請求項１〜１０のいずれか一つに記載の組成物。
【請求項１２】
温度５５℃〜７５℃で溶融することを特徴とする、請求項１〜１１のいずれか一つに記載の組成物。
【請求項１３】
いかなるアルコールエトキシレートも含まないことを特徴とする、請求項１〜１２のいずれか一つに記載の組成物。
【請求項１４】
温度２０℃で、好ましくはゲル形態で、またはペースト形態で、より好ましくはゲル形態で存在する、請求項１〜１３のいずれか一つに記載の組成物を調製する方法であって、成分ａ）および成分ｂ）を、または成分ａ）、成分ｂ）、および成分ｃ）の一部または総量を、温度４５〜８０℃まで、好ましくは５０〜７５℃まで、好ましくは混合しながら、均一な溶融物が得られるまで加熱し、その後、前記均一な溶融物を冷却し、好ましくは温度２０〜４５℃まで冷却し、加熱される前記組成物が、成分ｃ）を含まないか、または成分ｃ）の総量の一部しか含まない場合、成分ｃ）の残りの部分または総量を、その加熱する前記ステップの間および／または冷却する前記ステップの間に、前記均一な溶融物に添加することを特徴とする、方法。
【請求項１５】
好ましくはパーソナルケア用途またはホームケア用途における、より好ましくは衛生用途における、洗浄、洗濯、芳香、コンディショニング、または消毒のための請求項１〜１３のいずれか一つに記載の組成物の使用。
【請求項１６】
前記組成物が、対象物、好ましくは衛生対象物の表面に直接適用され、前記対象物の前記表面に自己接着性であることを特徴とする、請求項１５に記載の使用。
【請求項１７】
対象物、好ましくは衛生対象物の表面に自己接着性であるゲルまたはペーストを調製するための、請求項１〜１３のいずれか一つに記載の、成分ａ）、成分ｂ）、および成分ｃ）を含む組成物の使用。
【発明の詳細な説明】
【技術分野】
【０００１】
本発明は、Ｎ−炭化水素−Ｎ−アシルグルカミドおよび水の、特定のブレンドを含む組成物、これらの組成物の、とりわけ衛生施設における、洗浄、芳香、コンディショニング、または消毒の目的での使用、ならびにこれらの組成物を調製する方法に関する。
【背景技術】
【０００２】
洗剤および洗浄剤は、一般に、噴霧乾燥製品もしくは粒状製品として、または液体として存在するが、成長している高級セグメントの新しい傾向、および使い易い投与のその他の可能性に対する消費者の願望に追従して、洗剤および洗浄剤の新しい形式の探求が著しく増している。
【０００３】
近年、モノドース（ｍｏｎｏｄｏｓｅ）製品は、衛生用途などのホームケア用途、例えば、ボウル内トイレクリーナー（ｉｎ−ｂｏｗｌ  ｔｏｉｌｅｔ  ｃｌｅａｎｅｒ）、自動食器洗い、または洗濯の用途においてかなり普及している。モノドース製品は、しばしば、粉末、液体、またはゲルを含んだタブレットまたはポーチとして存在する。しかし、このモノドース製品の、特にゲルの化学組成は、極めて複雑であることが多く、増粘剤などの物質を必要とする。また、これによってその製造の複雑さが増し、製造に関わる費用も高くなる。
【０００４】
ＷＯ２０１３／１７８６６８Ａ２（特許文献１）において、化粧用途に好適であり、（ａ）（ａ１）Ｎ−メチル−Ｎ−オレイルグルカミド５〜２０重量％、（ａ２）Ｎ−メチル−Ｎ−Ｃ１２−Ｃ１４−アシルグルカミド５０〜９３重量％、（ａ３）他のＮ−メチル−Ｎ−アシルグルカミド０〜３０重量％の混合物であって、成分（ａ１）、成分（ａ２）、および成分（ａ３）を合わせて１００重量％である、混合物２８〜６５重量％、（ｂ）１種または複数のアルコール０〜２０重量％、（ｃ）水２０〜７２重量％、ならびに（ｄ）添加剤０〜５重量％を含み、成分（ａ）、成分（ｂ）、成分（ｃ）、および成分（ｄ）を合わせて１００重量％である、水系界面活性剤溶液が記載されている。開示された界面活性剤溶液は、水で希釈するときゲルを形成しない。開示された界面活性剤混合物の融点は、３８℃以下である。
【０００５】
ＷＯ９５／０７３４０Ａ１（特許文献３）に対応するＵＳ５，５１０，０４９Ａ（特許文献２）には、バーの汚れ、亀裂、または摩耗の品質を改善するために、アルコキシまたはアリールオキシのポリヒドロキシ脂肪酸アミドを用いて調製された、１種または複数の表面活性剤、例えば、アニオン性界面活性剤、石鹸、および合成洗剤などを含む、洗濯バーまたはトイレバーが記載されている。Ｎ−（３−メトキシプロピル）グルカミンおよびＮ−（２−メトキシエチル）グルカミンのヤシ油鎖長脂肪酸アミドは、こうしたバーに用いられるグルカミド界面活性剤の例である。
【０００６】
ＷＯ２０１２／１１３６７１Ａ１（特許文献４）には、トイレの洗浄および／または芳香のための、ゲル形態またはペースト形態の接着組成物が開示されており、接着組成物は、トイレのセラミックスの内側に付着させ、数回流す操作をした後洗い流され、アルキルポリグリコシド、アンホ酢酸塩、アンホ二酢酸塩、ベタイン、脂肪アルコールエーテルカルボン酸、脂肪酸サルコシン酸塩、コカミドプロピルアミンオキシド、アミノプロピオン酸塩、および生物界面活性剤からなる群からの、少なくとも１種の界面活性剤、香水および水、また接着促進剤としてポリイソブテンコハク酸のエステルを含み、さらなる接着促進剤および界面活性剤を含まない。
【０００７】
ＷＯ０２／２６９２５Ａ１（特許文献５）には、洗浄および／または消毒および／または香料放出のための衛生製品が記載されている。上記製品は、衛生対象物に直接適用してそこに接着させることができ、多くの洗い流すプロセスの後でのみ取り除かれうる。その製品は、水；アニオン性および／または非イオン性および／または両性の界面活性剤；ポリアルコキシアルカン、アルギン酸塩、ジウレタン、ゼラチン、ペクチン、オレイルアミン（ｏｌｅｙａｍｉｎｅ）、アルキルジメチルアミノキシド、ステアリン酸塩、スルホン酸塩、硫酸塩、および炭酸塩からなる群からの、１種の接着剤；少なくとも１種の、脂肪族の、ジヒドロキシ化合物、オリゴヒドロキシ化合物、もしくはポリヒドロキシ化合物、またはそれらのエーテル；場合により他の標準の構成成分、例えば、増粘剤、染料、防腐剤、および香料を含む。その製品の粘度は、Ｈａａｋｅ粘度計（コーン／プレートシステム、センサーＰＫ５１°）によって、せん断勾配２５ｓ−１で、および室温で、少なくとも１５，０００ｍＰａ・ｓであると測定される。
【０００８】
ＷＯ９９／６６０１７（特許文献６）には、洗浄および／または消毒および／または臭気剤放出のための衛生剤が開示されており、上記薬剤は、接着促進剤、水、アニオン性および／または非イオン性および／または両性の表面活性剤、場合により、さらに一般的な構成成分、例えば、臭気剤、増粘剤、着色剤、および防腐剤を含む。接着促進剤は、少なくとも一部親水性である、超長鎖の有機分子、または長鎖の有機分子の群から選択される。接着促進剤の親水性部分は、水が存在する状態で、水分子と少なくとも一部相互作用し、「粘着性」になり、その結果、薬剤を、少量の水が存在する状態で、衛生対象物に直接適用することができ、それに接着させることができる。薬剤の粘度は、少なくとも１５，０００ｍＰａ・ｓであり、その製品は、数多く洗い流した後でのみ完全に洗い落とすことができる。この文献はまた、薬剤を洗浄される衛生対象物の表面に直接適用し、上記表面に接着させる、衛生薬剤を適用する方法も開示している。
【０００９】
ＷＯ９９／２４５４９（特許文献７）には、Ａ）圧縮体部分に少なくとも１つの型を有する圧縮固形体部分、ならびにＢ）圧縮体部分の型に一体化してのせた、非圧縮のゲル状部分を含む洗剤タブレットであって、ゲル状部分が増粘剤系および少なくとも１種の洗剤活性分を含む、洗剤タブレットが記載されている。増粘剤系は、好ましくは非水希釈剤およびゲル化剤を含み、洗剤活性分は、好ましくは、酵素、界面活性剤、起泡剤、漂白剤、銀ケア剤、ビルダー、およびそれらの混合物からなる群から選択される。
【先行技術文献】
【特許文献】
【００１０】
【特許文献１】ＷＯ２０１３／１７８６６８Ａ２
【特許文献２】ＵＳ５，５１０，０４９Ａ
【特許文献３】ＷＯ９５／０７３４０Ａ１
【特許文献４】ＷＯ２０１２／１１３６７１Ａ１
【特許文献５】ＷＯ０２／２６９２５Ａ１
【特許文献６】ＷＯ９９／６６０１７
【特許文献７】ＷＯ９９／２４５４９
【特許文献８】ＥＰ０５５０６３７
【発明の概要】
【発明が解決しようとする課題】
【００１１】
本発明の目的は、温度２０℃で、ゲル形態で、またはペースト形態で、さらに例えば、モノドース形式で存在することができ、好ましくはホームケア用途またはパーソナルケア用途において洗浄、芳香、消毒、またはコンディショニングの目的に好適である、新規の組成物を提供することである。
【００１２】
本発明の別の目的は、様々な対象物の表面、好ましくは衛生対象物の表面に自己接着性である、新規の組成物を提供することである。
【００１３】
これらの組成物は、装置の表面への確実な接着のために、粘着性付与剤または接着促進剤を必要としない。
【課題を解決するための手段】
【００１４】
意外なことに、これらの目的は、以下に記載される組成物で解決することができることが明らかになった。
【００１５】
したがって、本発明は、少なくとも４５℃の温度で溶融する組成物であって、次の成分、すなわち
ａ）２０〜８４重量％の、式（Ｉ）のＮ−炭化水素置換−Ｎ−アシルグルカミドのブレンド、
【００１６】
【化１】
2020500977.tif 000002
（式中、
Ｒ１は、７〜２１個の、好ましくは７〜１７個の炭素原子を含む、直鎖状もしくは分枝鎖状の、好ましくは直鎖状の、アルキル基、または７〜２１個の、好ましくは７〜１７個の炭素原子を含む、直鎖状もしくは分枝鎖状の、好ましくは直鎖状の、単不飽和もしくは多不飽和のアルケニル基であり、
Ｒ２は、直鎖状もしくは分枝鎖状の、アルキル基またはアリール基であり、好ましくは１〜６個の炭素原子を含む直鎖状アルキル基、またはフェニル基であり、より好ましくはメチル基、エチル基、プロピル基、またはブチル基であり、最も好ましくはメチル基である）
但し、前記Ｎ−炭化水素置換−Ｎ−アシルグルカミドのブレンドは、
（ａ１）Ｒ１が、７〜９個の炭素原子を含む、直鎖状もしくは分枝鎖状の、好ましくは直鎖状の、アルキル基、または７〜９個の炭素原子を含む、直鎖状もしくは分枝鎖状の、好ましくは直鎖状の、単不飽和もしくは多不飽和のアルケニル基である、式（Ｉ）の１種または複数のＮ−炭化水素−Ｎ−アシルグルカミド３〜３５重量％、
（ａ２）Ｒ１が、１１〜１３個の炭素原子を含む、直鎖状もしくは分枝鎖状の、好ましくは直鎖状の、アルキル基、または１１〜１３個の炭素原子を含む、直鎖状もしくは分枝鎖状の、好ましくは直鎖状の、単不飽和もしくは多不飽和のアルケニル基である、式（Ｉ）の１種または複数のＮ−炭化水素−Ｎ−アシルグルカミド１５〜７５重量％、好ましくは１７〜４７重量％、
（ａ３）成分（ａ２）および成分（ａ４）であるＮ−炭化水素−Ｎ−アシルグルカミドとは異なる、Ｒ１が、１１〜１７個の炭素原子を含む、直鎖状もしくは分枝鎖状の、好ましくは直鎖状の、単不飽和もしくは多不飽和のアルケニル基である、最も好ましくはオレイル基である、式（Ｉ）の１種または複数のＮ−炭化水素−Ｎ−アシルグルカミド２〜５５重量％、ならびに
（ａ４）成分（ａ１）、成分（ａ２）、および成分（ａ３）であるＮ−炭化水素−Ｎ−アシルグルカミドとは異なる、式（Ｉ）の１種または複数の追加のＮ−炭化水素−Ｎ−アシルグルカミド２〜１２重量％
を含む；
ｂ）１５〜５０重量％の水；ならびに
ｃ）１〜３０重量％の１種または複数の添加剤；
を含み、
成分ａ）および成分ｃ）の総量が少なくとも５０重量％であり、パーセントが組成物の総重量に対する、前記組成物に関する。
【発明を実施するための形態】
【００１７】
式（Ｉ）のＮ−炭化水素−Ｎ−アシルグルカミドは、当分野の技術者に周知の方法によって調製することができるか、および／または市販されている。
【００１８】
本発明は、特に、任意の増粘剤系または硬化剤系を添加することを必要とせず、所定の量の、７〜１２の間の炭素鎖長を有する、式（Ｉ）の様々なＮ−炭化水素−Ｎ−アシルグルカミドのブレンド、および水の会合体によって得られる、ゲルまたはペーストの材料に関する。
【００１９】
本発明のゲルは、水、および場合により他の液体、例えばアルコールを固体中に分散させる、半剛体のゼリー状製品である。これらのゲルは、固体が連続相であり、液体が非連続相である、１種または複数の液体の分子の、固体中分散体である。本発明のゲルは、柔らかく、脆いから、固く、頑丈であるまでの範囲の性質を有することができる。それらは、好ましくは、低せん断応力状態、例えば、２００Ｐａ以下で、粘弾性特性を示し、非流動を示す。
【００２０】
本発明のペーストは、これらのペーストが流体のように流れる、十分に大きな荷重または応力が加えられるまで、固体として挙動する。これらのペーストは、典型的には、バックグラウンド流体中の粒状材料の懸濁液を含む。個々の粒は、共に詰め込まれて、不規則な、ガラス状の、または非晶質の構造を形成し、ペーストに、その固体状の特徴をもたらす。
【００２１】
本発明の組成物において、選択された量の水、および場合により少量の有機共溶媒と組み合わせた、７〜２１の間の炭素鎖長を有する、式（Ｉ）の様々に選択されたＮ−炭化水素−Ｎ−アシルグルカミドの組み合わせによって、好ましくは、意外なほど高粘度の均一なゲルがもたらされる。
【００２２】
好ましい成分（ａ１）は、Ｒ１が、７〜９個の炭素原子を含む、直鎖状または分枝鎖状の、好ましくは直鎖状の、アルキル基である、式（Ｉ）のＮ−メチル−Ｎ−アシルグルカミド（複数可）である。
【００２３】
好ましい成分（ａ２）は、Ｒ１が、１１〜１３個の炭素原子を含む、直鎖状または分枝鎖状の、好ましくは直鎖状の、アルキル基である、式（Ｉ）のＮ−メチル−Ｎ−アシルグルカミド（複数可）である。
【００２４】
好ましい成分（ａ３）は、Ｒ１が、１１〜１７個の炭素原子を含む、直鎖状または分枝鎖状の、好ましくは直鎖状の、単不飽和アルケニル基である、式（Ｉ）のＮ−メチル−Ｎ−アシルグルカミド（複数可）であり、最も好ましくは、式（Ｉ）のＮ−メチル−Ｎ−オレイルグルカミンである。
【００２５】
好ましい成分（ａ４）は、成分（ａ１）、成分（ａ２）、および成分（ａ３）であるＮ−ヒドロカルビル−Ｎ−アシルグルカミドとは異なる、Ｒ１が、７〜２１個の炭素原子を含む、直鎖状または分枝鎖状の、好ましくは直鎖状の、アルキル基である、式（Ｉ）のＮ−炭化水素−Ｎ−アシルグルカミドである。
【００２６】
ゲルの態様は、所定の量の、様々な炭素鎖長を有する式（Ｉ）のＮ−炭化水素−Ｎ−アシルグルカミドおよび水の会合体によってもたらされ、クリーナー、消毒用媒体、洗濯用洗剤、柔軟剤、および消臭剤の製品で活用することができる。この特性により、洗剤製造者にとって、例えば、洗剤タブレット、トイレブロック、およびゲル洗剤の製造の、高度に精密な、費用のかかる工程が不要になる。また、この特性により、増粘剤系または硬化剤系、典型的にはポリマー性ゲル化添加剤、例えば、多糖類、ポリエチレングリコール、またはポリアクリル酸ポリマーの使用が不要になる。さらに、審美的に、この材料の態様によって、洗剤製造者が、最終消費者に魅力的のある、革新的なデザインを開発することが可能になり、様々な形式の選択肢がもたらされる。
【００２７】
本発明の組成物は、周囲条件、すなわち４０〜６０％ｒ．ｈ．（相対湿度）および温度２４℃での、極めて良好な保存安定性で注目される。ゲル形態の、本発明の組成物は、柔らかく、容易に変形可能である。
【００２８】
本発明の組成物は、特に垂直面に対する、有利な接着特性を有する。さらに、本発明の組成物は、水に接触させるとき、有利な泡発生特性も示す。
【００２９】
本発明の組成物はまた、有利な、水溶解度および水中での溶解速度も有する。便器中などの衛生用途において、ゲル形態の、本発明の組成物は、多くの洗い流すプロセスの後でのみ、完全に取り除くことができる。例えば、本発明の組成物４ｇは、１００回より多く、より好ましくは１３０回より多く、さらにより好ましくは１５０回より多く洗い流した後でのみ、完全に取り除くことができる。
【００３０】
好ましくは、本発明の組成物の成分ａ）である、式（Ｉ）の、Ｎ−炭化水素−Ｎ−アシルグルカミドのブレンドにおいて、Ｒ１ＣＯは、７〜１７個の炭素原子を含む、直鎖状飽和アルキル基Ｒ１を含み、かつ１７個の炭素原子を含む、直鎖状の、単不飽和または多不飽和の、好ましくは単不飽和の、アルケニル基Ｒ１を含む、アシル基である。
【００３１】
本発明の好ましい一実施形態において、添加剤ｃ）は、式（Ｉ）のグルカミド以外の非イオン性界面活性剤、カチオン性界面活性剤、アニオン性界面活性剤、両性界面活性剤、常用のものであり、それぞれの場合で特定のものである、助剤、例えば、溶解時間制御のための添加剤、性能改善のための添加剤（例えば、防汚ポリマー（ｓｏｉｌ  ｒｅｌｅａｓｅ  ｐｏｌｙｍｅｒ）、染料定着剤、移染防止剤、漂白系、殺生物剤もしくは抗菌成分、またはビルダー）、あるいは洗浄助剤（例えば、酵素、酵素安定剤、防腐剤、発泡増進剤、発泡防止剤、腐食防止剤、光学的光沢剤、ＵＶ吸収剤、アルカリ、屈水性化合物、酸化防止剤、溶媒、塩もしくは増量剤、分散剤、退色防止剤、柔軟剤、帯電防止剤、染料、香料もしくは香水）、染料、顔料、着色剤、あるいは真珠光沢剤からなる群から選択される、１種または複数の物質である。
【００３２】
本発明の組成物に含むことができる、式（Ｉ）のグルカミド以外の非イオン性界面活性剤は、アルカノールアミド、アルキルジメチル−アミンオキシド、ジ−アルキル−メチルアミンオキシド、アルキルアミドプロピル−アミンオキシド、本発明の組成物の成分ａ）のものとは異なる脂肪酸−Ｎ−メチルグルカミド、アルキルポリグルコシド、オキシアルキル化脂肪酸、アルコキシル化アルコール（アルキルエーテル、アルキルポリエチレングリコールエーテル、脂肪アルコールポリグリコールエーテル）、（ＥＯ／ＰＯ）エトキシル化／プロポキシル化ブロックコポリマー、オキシアルキル化脂肪酸エステル、およびオキシアルキル化アルキルアミンである。対応する不飽和基で完全にまたは部分的に置換されてもよい、これらの化合物の、アルキル基および脂肪酸基は、８〜２２個の炭素原子を含むことができ、直鎖状または分枝鎖状であってもよい。オキサルキル化は、好ましくは、エチレンオキシドもしくはプロピレンオキシド、またはそれらの混合物１〜２０単位を含む生成物を意味する。
【００３３】
本発明の組成物に添加することができる、１種または複数の、他の非イオン性界面活性剤の量は、好ましくは、０．１〜５０重量％、より好ましくは０．５〜２５重量％である。
【００３４】
本発明の組成物は、非イオン性界面活性剤として、式（ＩＩ）の、１種または複数のアルコールエトキシレート
Ｒ３−Ｏ−（ＣＨ２ＣＨ２Ｏ）ｎ−Ｈ（ＩＩ）
（式中、
Ｒ３は、１２〜２２個の、好ましくは１２〜２０個の、より好ましくは１６〜１８個の炭素原子を含む、直鎖状もしくは分枝鎖状の、好ましくは直鎖状の、飽和アルキル基、または１２〜２２個の、好ましくは１２〜２０個の、より好ましくは１６〜１８個の炭素原子を含む、直鎖状もしくは分枝鎖状の、好ましくは直鎖状の、単不飽和もしくは多不飽和のアルケニル基であり、
それによって、式（ＩＩ）の、それぞれのアルコールエトキシレートの基盤となるアルコールＲ３−ＯＨが、３０〜１３５ｇ（Ｊ２）／アルコールＲ３−ＯＨ１００ｇ、好ましくは３６〜１２０ｇ（Ｊ２）／アルコールＲ３−ＯＨ１００ｇのヨウ素価を有し、
ｎは、モル平均で、４〜５０、好ましくは５〜２５の数である）
を含むことができる。
【００３５】
本発明の好ましい組成物は、いかなるアルコールエトキシレートも含まず、とりわけ、式（ＩＩ）のアルコールエトキシレートを含まない。
【００３６】
カチオン性界面活性剤として、第四級アンモニウム化合物、例えば、アルキルジメチル−ヒドロキシエチル−アンモニウムを用いることができる。アルキルの代わりに、このアンモニウム化合物は、アルケニル基または両者の混合物を含むこともできる。アルキル基およびアルケニル基は、８〜２２個の炭素原子を含むことができる。それらは、直鎖状または分枝鎖状であってもよい。好ましいアンモニウム化合物は、Ｃ８〜Ｃ２２−アルキル−ジメチル−ヒドロキシエチル−アンモニウム化合物またはＣ８〜Ｃ２２−アルケニル−ジメチル−ヒドロキシエチル−アンモニウム化合物である。特に好ましいアンモニウム化合物は、Ｃ１２／Ｃ１４−アルキルジメチルヒドロキシエチルアンモニウム化合物である。全ての前述のアンモニウム化合物は、任意の種類のアニオンを含むことができ、好ましいアニオンは、塩化物イオン、臭素イオン、酢酸イオン、乳酸イオン、硫酸イオン、またはメト硫酸イオンである。極めて好ましいアンモニウム化合物は、Ｃ１２／Ｃ１４−アルキルジメチルヒドロキシエチルアンモニウムクロリドである。
【００３７】
アニオン性界面活性剤は、アルキル硫酸塩、アルキルエーテル硫酸塩、アルキルアリールスルホン酸塩、例えば、直鎖アルキルベンゼンスルホン酸塩（ＬＡＳ）、脂肪酸石鹸、メチルエステルスルホン酸塩、パラフィンスルホン酸塩、オレフィンスルホン酸塩、アルコールエトキシ硫酸塩、モノアルキルスルホコハク酸塩およびジアルキルスルホコハク酸塩、モノアルキルスルホスクシナメート（ｓｕｌｆｏｓｕｃｃｉｎａｍａｔｅ）およびジアルキルスルホスクシナメート、スルホトリグリセリド、アミド石鹸、エーテルカルボン酸、およびその塩、脂肪酸イセチオン酸塩、脂肪酸サルコシン酸塩、脂肪酸タウリド（ｔａｕｒｉｄｅ）、Ｎ−アシルアミノ酸、例えば、アシル乳酸塩、アシル酒石酸塩、アシルグルタミン酸塩、およびアルキルオリゴグルコシド硫酸塩からなる群から選択することができる。
【００３８】
さらに、本発明の組成物は、両性界面活性剤０．１〜１２重量％、好ましくは０．２〜１０重量％を含むことができる。両性界面活性剤は、アルキルアミドプロピルベタイン、アルキルジメチルベタイン、アルキルアンホ酢酸塩、またはアルキルアンホ二酢酸塩であってもよい。アルケニル基で部分的にまたは完全に置換されてもよい、これらの化合物のアルキル基は、８〜２２個の炭素原子を含むことができ、直鎖状または分枝鎖状であってもよい。ポリアルキレングリコール基は、１〜２０個のエトキシ単位および／またはプロポキシ単位を含むことができる。
【００３９】
使用目的に応じて、本発明の配合物は、上記界面活性剤および助剤追加添加剤に加えて、常用のものであり、それぞれの場合で特定のものである、例えば、溶解時間制御のための添加剤、または性能改善のための添加剤を含むことができる。
【００４０】
好適な、溶解時間制御のための添加剤は、エタノール、イソプロパノール；ブチルグリコール；ジ−ブチルグリコール；モノ−Ｃ２〜Ｃ５アルキレングリコール、ジ−Ｃ２〜Ｃ５アルキレングリコール、トリ−Ｃ２〜Ｃ５アルキレングリコール、またはテトラ−Ｃ２〜Ｃ５アルキレングリコール、例えば、エチレングリコールまたはプロピレングリコール、特にモノ−プロピレングリコール、ジ−プロピレングリコール、トリ−プロピレングリコール、またはテトラ−プロピレングリコール；少なくとも４００の分子量を有するポリエチレングリコール（ＰＥＧ）、特に６，０００〜３５，０００の範囲の分子量のＰＥＧ；グリセロール；糖類；およびそれらの混合物である。
【００４１】
本発明の好ましい一実施形態において、添加剤ｃ）は、プロピレングリコールおよび／またはグリセロール、最も好ましくはプロピレングリコールおよびグリセロールを含む。
【００４２】
好適な、性能改善のための添加剤には、防汚ポリマー、染料定着剤、移染防止剤、漂白系、殺生物剤もしくは抗菌成分、またはビルダーが挙げられる。
【００４３】
好適な防汚ポリマーは、アクリル酸とマレイン酸とのコポリマー（Ｓｏｋａｌａｎ（登録商標）ＣＰ、ＢＡＳＦ）、ビニルピロリドン、ビニルイミダゾール、および非イオン性モノマーのホモポリマーおよびコポリマー（Ｓｏｋａｌａｎ（登録商標）ＨＰ、ＢＡＳＦ）、アクリル酸のホモポリマー（Ｓｏｋａｌａｎ（登録商標）ＰＡ、ＢＡＳＦ）、ポリエチレンテレフタレート（ＰＥＴ）、ならびにポリオキシエチレンテレフタレート（ＰＯＥＴ）（Ｔｅｘｃａｒｅ（登録商標）製品、Ｃｌａｒｉａｎｔ）である。さらに好適な防汚ポリマーは、例えば、セルロースエーテル、または二塩基性カルボン酸および２個以上のヒドロキシル基を有する反応物に基づく重縮合物である。用いられる二塩基性カルボン酸は、典型的にはテレフタル酸である。この防汚ポリマーは、非イオン性またはアニオン性であってもよい。
【００４４】
本発明の組成物に取り込むことができる染料定着剤は、非イオン性またはカチオン性であり、以下に記載されるものである。
染料定着剤として用いられる重縮合物は、シアナミドと、アルデヒドならびにアンモニウム塩および／もしくはモノアミンとの反応によって（例えば、染料定着剤ＤＦ３）、モノアミンおよび／もしくはポリアミンと、エピクロロヒドリンとの反応によって（例えば、染料定着剤ＤＦ２および染料定着剤ＤＦ４）、またはポリアミンとシアナミドおよびアミド硫酸との反応によって（例えば、染料定着剤ＤＦ１）得られる。用いられるモノアミンは、第一級アミン、第二級アミン、または第三級アミンであってもよい。それらは、脂肪族アミン、例えば、ジアルキルアミン、とりわけジメチルアミン、脂環式アミン、例えば、シクロヘキシルアミン、および芳香族アミン、例えば、アニリンであってもよい。しかし、用いられるアミンはまた、同時に、脂肪族、脂環式、および芳香族の置換基を含むことができる。さらに、複素環式化合物、例えば、ピリジンを用いることも可能である。
【００４５】
ここで、用語「ポリアミン」には、例えば、ジアミン、トリアミン、テトラアミンなど、および類似のＮ−アルキルポリアミンおよびＮ，Ｎ−ジアルキルポリアミンが含まれる。その例は、エチレンジアミン、プロピレンジアミン、ブチレンジアミン、ペンチレンジアミン、ヘキシレンジアミン、ジエチレントリアミン、トリエチレンテトラアミン、および高級ポリアミン（ｈｉｇｈｅｒ  ｐｏｌｙａｍｉｎｅ）である。特に好ましいポリアミンは、エチレンジアミン、ジエチレントリアミン、およびジメチルアミノプロピルアミンである。アンモニウム塩は、アンモニアの塩、とりわけ塩化アンモニウム、または様々な無機酸もしくは有機酸を含む、前述のアミンもしくはポリアミン、またはそれ以外では第四級アンモニウム塩である。
【００４６】
シアナミドは、シアナミドまたはジシアンジアミドであってもよい。
【００４７】
染料定着剤の合成に用いることが可能なアルデヒドは、例えば、脂肪族アルデヒド、例えば、ホルムアルデヒド、アセトアルデヒド、プロピオンアルデヒド、ブチルアルデヒド、ジアルデヒド、例えば、グリオキサル、不飽和アルデヒド、例えば、アクロレイン、クロトンアルデヒド、および芳香族アルデヒド、例えば、ベンズアルデヒドである。特に好ましいのは、脂肪族アルデヒド、とりわけホルムアルデヒドである。
【００４８】
用いられる染料定着剤は、ジアリルジメチルアンモニウムクロリド（ＤＡＤＭＡＣ）に基づくホモポリマーおよびコポリマーであってもよい（例えば、染料定着剤ＤＦ５、染料定着剤ＤＦ６、および染料定着剤ＤＦ７）。
【００４９】
ＤＡＤＭＡＣに基づくコポリマーは、さらなる成分として、他のビニルモノマー、例えば、ビニルイミダゾール、ビニルピロリドン、ビニルアルコール、酢酸ビニル、（メタ）アクリル酸／エステル、アクリルアミド、スチレン、スチレンスルホン酸、アクリルアミドメチルプロパンスルホン酸などを含む。ＤＡＤＭＡＣに基づくホモポリマーは、商品名Ｇｅｎａｍｉｎ（登録商標）  ＰＤＡＣ（Ｃｌａｒｉａｎｔ製）で入手可能である。
【００５０】
漂白系、例えば無機ペルオキシゲン化合物、とりわけ過酸化水素、および水中に過酸化水素を放出しながら溶解する固体ペルオキシゲン化合物、例えば、過ホウ酸ナトリウムおよび過炭酸ナトリウム（ｓｏｄｉｕｍ  ｃａｒｂｏｎａｔｅ  ｐｅｒｈｙｄｒａｔｅ）およびそれらの混合物、ならびに漂白活性剤、例えば、Ｎ−アシル化合物またはＯ−アシル化合物の物質類からのもの、例えば、ポリアシル化アルキレンジアミン、とりわけテトラアセチルエチレン−ジアミン、およびテトラアセチルグリコールウリル、Ｎ−アシル化ヒダントイン、ヒドラジド、トリアゾール、ヒドロトリアジン、ウラゾール、ジケトピペラジン、スルフリルアミド、およびシアヌル酸塩、また無水カルボン酸、とりわけ無水フタル酸、および置換無水マレイン酸、カルボン酸エステル、とりわけアセトキシベンゼンスルホン酸ナトリウム、ベンゾイルオキシベンゼンスルホン酸ナトリウム（ＢＯＢＳ）、ノナノイルオキシベンゼンスルホン酸ナトリウム（ＮＯＢＳ）、イソノナノイルオキシベンゼンスルホン酸ナトリウム（ＩＳＯＮＯＢＳ）、ならびにアシル化糖類誘導体、例えば、ペンタアセチルグルコース、およびその混合物。
【００５１】
殺生物剤または抗菌成分は、表面に存在する微生物を、殺すか、または取り除くことによって、減らすか、または排除する能力を有する、任意の既知の成分である。本明細書で有用な殺生物剤または抗菌成分には、アルコール、アルデヒド、ホルムアルデヒド放出化合物、フェノール類、酸エステルカルバミン酸塩、アミド、ジベンズアミド、ピリジン誘導体、および関連する化合物、アゾール、複素環式Ｎ，Ｓ化合物、Ｎハロアルキルチオ化合物、活性化ハロゲン原子を含む化合物、表面活性剤、有機金属化合物、チオシアン酸塩、ビフェニル、トリアジン、酸化剤、およびそれらの混合物が挙げられる。
【００５２】
好適なビルダーは、有機ビルダーおよび無機ビルダーであり、カルシウムイオンを沈殿させ、またはカルシウムイオンと結合して錯体を形成することができる、中性、または特にアルカリ性の塩である。好適な、特に生態学的に許容できるビルダー物質、例えば細かい結晶性の、合成含水ゼオライト、好ましくはＣａＯ１００〜２００ｍｇ／ｇの範囲のカルシウム結合能を有するＮａＡ型を用いるのが好ましい。ゼオライトおよびフィロケイ酸塩は、組成物中に、２０重量％までの量で存在することができる。用いることが可能な有機ビルダーは、例えば、アミノカルボン酸、有機アミノホスホン酸化合物、およびそれらの混合物からなる群である。例えば、ホスホン酸またはカルボン酸の官能基を含み、本来酸性である、それらの成分は、その酸の形態で、あるいは好適な対カチオン、例えば、アルカリイオンもしくはアルカリ金属イオン、アンモニウムイオンもしくは置換アンモニウムイオン、またはその任意の混合物との、錯体／塩として存在することができる。本明細書で用いられる好適な成分には、アミノカルボン酸、例えば、エチレンジアミン−Ｎ，Ｎ’−ジコハク酸（ＥＤＤＳ）、エチレンジアミン四酢酸（ＥＤＴＡ）、Ｎ−ヒドロキシエチレンジアミン三酢酸、ニトリロ三酢酸（ＮＴＡ）、エチレンジアミンテトラプロピオン酸、エチレンジアミン−Ｎ，Ｎ’−ジグルタミン酸、２−ヒドロキシプロピレンジアミン−Ｎ，Ｎ’−ジコハク酸、トリエチレンテトラアミン六酢酸、ジエチレントリアミン五酢酸（ＤＥＴＰＡ）、ｔｒａｎｓ１，２ジアミノシクロヘキサン−Ｎ，Ｎ，Ｎ’，Ｎ’−四酢酸、またはエタノールジグリシンが挙げられる。本明細書で用いられる、他の好適な成分には、有機アミノホスホン酸、例えば、エチレンジアミンテトラキス（メチレンホスホン酸）、ジエチレントリアミン−Ｎ，Ｎ，Ｎ’，Ｎ’’，Ｎ’’−ペンタキス（メチレンホスホン酸）（ＤＥＴＭＰ）、１−ヒドロキシエタン１，１−ジホスホン酸（ＨＥＤＰ）、またはヒドロキシエタンジメチレンホスホン酸が挙げられる。ポリマー性カルボン酸塩およびその塩を用いることも可能である。これには、例えば、ホモポリマー性またはコポリマー性の、ポリアクリル酸塩、ポリメチルアクリル酸塩の塩、特にアクリル酸とマレイン酸とのコポリマー、またポリビニルピロリドンおよびウレタンが挙げられる。遊離酸に基づいて、ホモポリマーの相対的な分子量は、一般に、１０００〜１００，０００の間であり、コポリマーの相対的な分子量は、２０００〜２００，０００の間、好ましくは５０，０００〜１２０，０００であり、特に、例えば、１００万を超える相対分子量を有する、糖類ポリアリルエーテルのおよそ１％と架橋結合した、水溶性ポリアクリル酸塩も好適である。その例は、名称Ｃａｒｂｏｐｏｌ（登録商標）９４０およびＣａｒｂｏｐｏｌ（登録商標）９４１で入手可能なポリマーである。
【００５３】
一般に、少ない使用濃度で追加的に含まれるものは、用語「洗浄助剤」でまとめることができる付加的な構成成分であり得、したがって付加的な構成成分は、例えば、酵素、とりわけプロテアーゼ、リパーゼ、セルラーゼ、アミラーゼ、およびマンナナーゼ；酵素安定剤；防腐剤；発泡増進剤；シリコーン油またはパラフィンなどの発泡防止剤；腐食防止剤；光学的光沢剤；ＵＶ吸収剤；アルカリ；屈水性化合物；酸化防止剤；溶媒；塩または増量剤；分散剤；退色防止剤；柔軟剤；帯電防止剤；染料、香料および香水などの様々な活性物質群を含む。
【００５４】
好適な酵素は、プロテアーゼ、リパーゼ、アミラーゼ、およびそれらの混合物の類からのものである。その割合は、０．１〜１重量％であってもよい。酵素は、担体物質に吸収されてもよく、および／またはコーティング物質に埋め込まれてもよい。
【００５５】
好適な防腐剤は、例えば、フェノキシエタノール、ホルムアルデヒド溶液、ペンタンジオール、またはソルビン酸である。
【００５６】
本発明のさらに好ましい一実施形態において、添加剤ｃ）は、１種または複数の溶媒、好ましくはエチレングリコール、プロピレングリコール、ポリエチレングリコール、およびポリプロピレングリコールの低級アルキルエーテルを含む。「低級アルキル」は、好ましくは１〜４個の炭素原子を含むアルキル基を意味する。
【００５７】
好適な塩または増量剤は、例えば、塩化ナトリウム、硫酸ナトリウム、炭酸ナトリウム、ケイ酸ナトリウム（水ガラス）、塩化マグネシウム、または硫酸マグネシウムである。
【００５８】
本発明の組成物の審美性は、染料、顔料、着色剤、または真珠光沢剤を添加することによって、さらに高めることができる。染料の典型的な例は、メチレンブルー（ベーシックブルー９）、ダイレクトイエロー５０、ソルベントレッド１７、リアクティブグリーン１２（フタロシアニン、Ｃｌａｒｉａｎｔ）である。
【００５９】
本発明のより好ましい一実施形態において、本発明の組成物は、防腐剤、抗菌成分、酵素、移染防止剤、防汚ポリマー、カチオン性界面活性剤、アニオン性界面活性剤、両性界面活性剤、プロピレングリコール、グリセロール、染料、顔料、および香料からなる群から選択される、１種または複数の物質を含む。
【００６０】
好ましくは、本発明の組成物は、温度２０℃で、固体である。
【００６１】
より好ましくは、本発明の組成物は、温度２０℃で、ゲル形態で、またはペースト形態で、好ましくはゲル形態で存在する。温度２０℃で、ゲル形態で存在する、本発明の組成物の中でも、モノドース形式の、またはモノドース製品の形態の、本発明の組成物によって、本発明の好ましい一実施形態が構成される。
【００６２】
さらにより好ましくは、温度２０℃およびせん断応力１０００Ｐａで測定された、本発明の組成物の粘度は、４０〜９・１０９Ｐａ・ｓ、より好ましくは１０００〜１．６・１０８Ｐａ・ｓである。
【００６３】
本発明の特に好ましい一実施形態において、本発明の組成物は、ペースト形態で存在し、温度２０℃およびせん断応力１０００Ｐａで測定された、この本発明の組成物の粘度は、４０〜１２００Ｐａ・ｓである。
【００６４】
本発明の特に好ましい他の実施形態において、本発明の組成物は、ゲル形態で存在し、温度２０℃およびせん断応力１０００Ｐａで測定された、この本発明の組成物の粘度は、１２００〜９・１０９Ｐａ・ｓ、より好ましくは１２００〜１．６・１０８Ｐａ・ｓである。
【００６５】
本発明の組成物の粘度は、２０℃で、３５ｍｍプレート−プレート配列を有するレオメーターＨａａｋｅ  Ｍａｒｓ  ＩＩＩ（Ｔｈｅｒｍｏｆｉｓｈｅｒ  Ｓｃｉｅｎｔｉｆｉｃ）を用いて測定される。
【００６６】
とりわけ好ましい本発明の組成物は、定常状態のとき、粘弾性特性および非流動を示す。
【００６７】
本発明の好ましい一実施形態において、本発明の組成物は、モノドース製品の形態で、より好ましくはモノドース製品の形態で、および温度２０℃で、ゲル形態で存在する。
【００６８】
好ましくは、温度２０℃の水中での本発明の組成物の平均溶解速度は、１〜１００ｍｇ／分、好ましくは１０〜８０ｍｇ／分である。
【００６９】
さらに好ましくは、水中での本発明の組成物の平均溶解速度は、温度２０℃で、１〜４０ｍｇ／分、好ましくは１０〜４０ｍｇ／分であり、温度３０℃で、４０〜１００ｍｇ／分、好ましくは４０〜８０ｍｇ／分である。
【００７０】
本発明の組成物は、温度少なくとも４５℃で、好ましくは温度５５℃〜７５℃の間で溶融する。本発明の組成物の融点は、ＤＩＮ  ＥＮ  ＩＳＯ１１３５７に準拠して、示差走査熱量測定によって、加熱速度１０Ｋ／分を用いて測定することができる。
【００７１】
本発明の組成物は、自己接着性であることによって特徴づけられる。したがって、様々な表面に十分に接着させるのに、粘着性付与剤または接着促進剤を必要としない。しかし、必要に応じて、粘着性付与剤または接着促進剤を用いてもよい。
【００７２】
本発明のさらに好ましい一実施形態において、本発明の組成物は、成分ａ）、成分ｂ）、および成分ｃ）で構成される。
【００７３】
好ましくは、本発明の組成物は、垂直面に、より好ましくはセラミックス、プラスチック、またはステンレス鋼でつくられた垂直面に、接着する。
【００７４】
好ましくは、本発明の組成物は、水ですすぐ、または洗い流したとき、泡を生じる。
【００７５】
本発明はまた、温度２０℃で、好ましくはゲル形態で、またはペースト形態で、より好ましくはゲル形態で存在する、上記組成物を調製する方法であって、上記方法が、成分ａ）および成分ｂ）を、または成分ａ）、成分ｂ）、および成分ｃ）の一部または総量を、温度４５〜８０℃まで、好ましくは５０〜７５℃まで、好ましくは混合しながら、均一な溶融物が得られるまで加熱し、その後、均一な溶融物を、好ましくは温度２０〜４５℃まで冷却し、加熱される組成物が、成分ｃ）を含まないか、または成分ｃ）の総量の一部しか含まない場合、成分ｃ）の残りの部分または総量を、その加熱するステップの間および／または冷却するステップの間に、均一な溶融物に添加することを特徴とする、方法にも関する。
【００７６】
本発明の方法の好ましい一実施形態において、添加剤ｃ）の一部または総量は、成分ａ）、成分ｂ）、および場合により成分ｃ）を加熱するステップの間、または均一な溶融物を冷却するステップの間に添加される。
【００７７】
成分ａ）、成分ｂ）、および成分ｃ）を含む、本発明の組成物は、一般にゲル形態で存在する。これらのゲルは、水に加えて、適度な量の、追加の溶媒成分、例えば、１０重量％以下の量の、好ましくは８重量％以下の量の、プロピレングリコールおよび／またはグリセロールを含むこともできる。本発明の組成物は、好ましくは、相対的に大量の溶媒成分、例えばプロピレングリコールおよび／またはグリセロールを含む場合、ペースト形態で存在する可能性もある。
【００７８】
追加の溶媒成分の種類および量は、水に加えて存在する場合、４５℃以上の融点を有する本発明の組成物をもたらすように選択される。
【００７９】
本発明の別の好ましい実施形態において、本発明の組成物は、水に加えて、１種または複数の追加の溶媒成分を含み、これらは、好ましくは、本発明の組成物中に、２０重量％以下の量で、より好ましくは１０重量％以下の量で、さらにより好ましくは８重量％以下の量で含まれる。１種または複数の、溶媒成分の量は組成物の総重量に基づく。１種または複数の、溶媒成分を含む、本発明の組成物の中でも、プロピレングリコールおよびグリセロールを含む、組成物が好ましい。
【００８０】
本発明の特に好ましい一実施形態において、本発明の組成物は、成分ａ）、成分ｂ）、および成分ｃ）で構成され、成分ｃ）はプロピレングリコールおよびグリセロールを含む。
【００８１】
別の好ましい実施形態において、本発明の組成物は、組成物の総量に対して、メタノールおよび／またはエタノールを含まないか、または３重量％まで含み、極めて好ましくはプロピレングリコールおよび／またはグリセロールを１０重量％以下含み、かつメタノールおよび／またはエタノールを含まないか、または３重量％まで含む。
【００８２】
本発明の組成物は、有利なことに、洗浄、芳香、コンディショニング、または消毒の目的で、好ましくはホームケア用途またはパーソナルケア用途で好適である。
【００８３】
したがって、本発明の、さらなる一主題は、好ましくはホームケア用途またはパーソナルケア用途における、洗浄、芳香、コンディショニング、または消毒の目的での本発明の組成物の使用である。
【００８４】
成分ａ）である、式（Ｉ）の、１種または複数のＮ−炭化水素−Ｎ−アシルグルカミドの存在のために、成分ａ）、成分ｂ）、および成分ｃ）で構成される本発明の組成物、すなわち成分ａ）、成分ｂ）、および成分ｃ）に加えて、さらなる物質を含まない本発明の組成物は、洗浄目的または洗浄用途に用いることができる。しかし、やはり、この目的または用途のために、本発明の組成物に、成分ａ）、成分ｂ）、および成分ｃ）に加えて、さらなる物質を添加することも可能である。芳香または消毒の、目的または用途について、本発明の組成物の、成分ａ）、成分ｂ）、および成分ｃ）は、例えば、ベース組成物または「シャシー（ｃｈａｓｓｉｓ）」として用いることができ、すなわち、この目的または用途のために、本発明の組成物は、成分ｃ）として、それぞれの活性分を有する成分、例えば、香水または消毒特性を有する成分などの、追加の物質を含んでもよい。
【００８５】
使用のため、本発明の組成物は、好ましくは、セラミックス、プラスチック、もしくはステンレス鋼でつくられた表面に、より好ましくはトイレのセラミックスに適用され、または洗濯機もしくは食洗機に適用される。
【００８６】
ペースト形態で存在する、本発明の組成物は、好ましくは、食器手洗い、洗濯、および硬表面洗浄の用途で用いることができる。
【００８７】
ゲル形態で存在する、本発明の組成物は、好ましくは、洗濯、自動食器洗い、食器手洗い、硬表面洗浄、トイレ、エアケア、およびパーソナルケアの用途で用いることができる。
【００８８】
本発明はまた、対象物、好ましくは衛生対象物の表面に自己接着性であるゲルまたはペーストを調製する目的での、上記の成分ａ）、成分ｂ）、および成分ｃ）を含む組成物の使用にも関する。
【００８９】
以下の例は、それに限定されることなく、本発明をより詳細に説明するものである。全ての量は、重量％（重量％）として与えられる。
【００９０】
例において、以下の物質を用いた。
Ｇｅｎａｇｅｎ（登録商標）ＣＡＢ８１８  コカミドプロピルベタイン（Ｃｌａｒｉａｎｔ、水中３０重量％）
Ｇｅｎａｐｏｌ（登録商標）ＬＲＯ  Ｃ１２／Ｃ１４−硫酸アルキルジグリコールエーテルナトリウム塩（Ｃｌａｒｉａｎｔ）
【００９１】
以下の例１〜７で記載され、用いられたＮ−メチル−Ｎ−アシルグルカミドは、ＥＰ０５５０６３７（特許文献８）に従って、１，２−プロピレングリコールが存在する状態で、対応する、脂肪酸メチルエステルまたはトリグリセリドおよびＮ−メチルグルカミンから調製された。
【００９２】
以下の表１において、「ｎａ」は、「適用せず」を意味する。
【００９３】
【表１】
2020500977.tif 000003
【００９４】
本発明の例１、例２、例４、例６、および例７の組成物、ならびに比較例３および比較例５の組成物を、以下のように調製した：
成分ａ）、成分ｂ）、および成分ｃ）を混合し、均一な溶融物が得られるまで５０〜７５℃まで加熱した。その後、均一な溶融物を２５℃まで冷却した。
【００９５】
例１、例２、例４、例６、および例７の全てのゲルは、柔らかく、変形可能である。それらは、調製工程の均一な溶融物を、それぞれの形態にキャスト成形すること（ｃａｓｔｉｎｇ）によって、または望ましい形態を得るために、ゲルを切断するか、および／もしくは押し固めることによって、モノドース形式またはモノドース製品に容易に変えることができる。
【００９６】
例１および例２のゲルをさらに調べた。
例１および例２のゲルは、それぞれ、せん断応力１０００Ｐａでの粘度１．５・１０７Ｐａ・ｓおよび８．８・１０７Ｐａ・ｓを示す。粘度特性決定は、２０℃で、３５ｍｍプレート−プレートジオメトリーを備えたレオメーターＨａａｋｅ  Ｍａｒｓ  ＩＩＩ（Ｔｈｅｒｍｏｆｉｓｈｅｒ  Ｓｃｉｅｎｔｉｆｉｃ）を用いて行った。
【００９７】
例２および例４のゲルを、モノドース製品として、便器のセラミックスに適用し、ゲルの接着特性を調べた。そのゲルは、それぞれ、およそ１５０回および１３０回洗い流す操作をした後でのみ、完全に取り除くことができ、例２および例４のゲルが極めて有利な接着特性を有することが示される。
【００９８】
例６の本発明のゲルは、両性界面活性剤の一例であるコカミドプロピルベタイン９．０重量％を含み、したがって、例６のゲルは、洗浄目的のために、または洗浄用途で用いることができる。
【００９９】
例７の本発明のゲルは、アニオン性界面活性剤の一例である、Ｃ１２／Ｃ１４−硫酸アルキルジグリコールエーテルナトリウム塩２１重量％を含む。この組成物は、溶解度を高めたゲルの一例であり、とりわけ、モノドース系で、洗浄用途における、洗浄目的および芳香目的に用いることができる。
【国際調査報告】
2020500977.tif 000005
2020500977.tif 000006
2020500977.tif 000007